(57)【要約】【課題】埋込蝶番を採用する折戸の構成について、指詰防止の対策を図るための新規な技術を提供する。【解決手段】複数の戸板４，４を折り畳み可能に連結してなる折戸１の連結構造であって、隣り合う戸板４，４は、戸板４，４の幅方向の端部４ａ，４ａにおいて蝶番６によって枢支連結され、蝶番６の一対の固定部は、戸板４，４の裏面４２側に設けた埋込部４３，４４にそれぞれ配設され、隣り合う戸板４，４の間において、戸板４，４の表面４１側に現れる蝶番６の露出部は、被覆材５によって被覆される、折戸１の連結構造とする。【選択図】図２
2014047592.tif 000002
【特許請求の範囲】
【請求項１】
複数の戸体を折り畳み可能に連結してなる折戸の連結構造であって、
隣り合う前記戸体は、前記戸体の幅方向の端部において蝶番によって枢支連結され、
前記蝶番の一対の固定部は、前記戸体の裏側端部に設けた埋込部にそれぞれ配設され、
隣り合う前記戸体の間において、前記戸体の表側に現れる前記蝶番の露出部は、
被覆材によって被覆される、
折戸の連結構造。
【請求項２】
前記被覆材は、隣り合う前記戸体の端面の間の隙間を跨ぐように設けられる、
ことを特徴とする請求項１に記載の折戸の連結構造。
【請求項３】
前記被覆材は、前記蝶番の固定部と前記埋込部の間に挟装される、
ことを特徴とする請求項１又は請求項２に記載の折戸の連結構造。
【請求項４】
前記被覆材は、
透明、半透明、又は、不透明の部材にて構成される、
ことを特徴とする請求項１乃至請求項３に記載の折戸の連結構造。
【請求項５】
前記被覆材は、
隣り合う戸体の一方の前記埋込部に対して係止され、
隣り合う戸体の他方の前記埋込部に対して相対移動可能に設けられる、
ことを特徴とする請求項４に記載の折戸の連結構造。
【請求項６】
前記被覆材おいて、隣り合う戸体の一方の前記埋込部に対して係止される部位は、
前記埋込部の輪郭と略同一とすることで、前記埋込部に対して係止されることにより、
前記埋込部に対する相対移動が規制され、
前記被覆材おいて、隣り合う戸体の他方の前記埋込部に対して相対移動可能に設けられる部位には、
前記埋込部に対して係合するための被係合部が設けられることにより、
前記埋込部に対する相対移動が一定の範囲に規制される、
ことを特徴とする請求項５に記載の折戸の連結構造。
【発明の詳細な説明】
【技術分野】
【０００１】
本発明は、複数の扉を折り畳み可能に連結してなる折戸の連結構造に関し、より詳しくは、指詰防止のための技術に関する。
【背景技術】
【０００２】
従来、例えば、特許文献１、２に開示されるように、隣接する２枚の戸板を高さ方向の複数箇所において蝶番（丁番）で連結してなる折戸が知られている。２枚の戸板の間に隙間が形成されるものであり、開かれた折戸が閉じられる過程では隙間が徐々に狭くなるため、この隙間に指が挟まれないようにするための指詰防止の対策が講じられている。
【０００３】
特許文献１では、戸体の間の隙間を前方より覆い隠すようにした板状体よりなる遮蔽体と、この遮蔽体を戸板に固定させるための板状体よりなる固定具とを組合せ一体化した構成について開示されている。遮蔽体は、折戸の全高にわたって設けるものではなく、乳幼児等の指の進入が十分に防止できるように、幼児の身長に合わせて戸板の下端位置から中央よりやや高い位置までに対応した長さのものを配設する構成としている。
【０００４】
また、特許文献２では、隣接する一方の戸体（扉パネル）に設けたパッキン材のカバー片を他方の戸体に設けた凹溝に挿入する構成について開示がされている。パッキン材は戸体の側端面に付設され、扉の高さ方向の広い範囲において隙間がカバー片によって塞がれることとしている。
【先行技術文献】
【特許文献】
【０００５】
【特許文献１】特開２０１０−１６８７３７号公報
【特許文献２】特開平０９−２２８７３３号公報
【発明の概要】
【発明が解決しようとする課題】
【０００６】
上述のように、折戸においては、従来より指詰防止に関する対策が講じられてきたが、折戸を連結する蝶番の構造に関連して新たな課題が生じることとなった。
【０００７】
即ち、特許文献１、２にも開示される従来の蝶番を備えた折戸の構成では、図７（Ａ）に示されるように、戸体９１，９２の裏側に蝶番９３の固定片９３ｂ，９３ｃ（蝶番片）が付設されるものであるため、戸体間の裏側開き角度θ１の変動に応じ、折戸の裏表を貫通する隙間９４の幅Ｌ１，Ｌ２に大きな変動が生じるものであり、特に幅Ｌ２のように隙間９４が大きくなることを懸念して、この隙間９４の全体を覆い隠す必要が生じるものであった。
【０００８】
他方、図７（Ｂ）の蝶番９３Ａの構成のように、軸９３ａや固定片９３ｂ，９３ｃを戸体９１，９２の中に埋め込むように配置する、いわゆる埋込蝶番の構成である場合には、折戸の裏表を貫通する隙間９４を最小限に抑えることができ、また、隙間９４の変動も極めて少ない構成が実現される。
【０００９】
そして、この図７（Ｂ）の構成によれば、折戸の裏表を貫通する隙間９４が最小限に抑えられ、指が折戸の裏表を貫通して差し込まれることが防止され、また、指を直ぐに戸体の間から引き抜くことができることから、より安全性に優れた構成が実現できることになる。
【００１０】
しかしながら、図７（Ｂ）の構成においては、折戸が開かれた際に、図８に示すように、蝶番９３Ａの軸９３ａの部位等が表側に出現することになるため、この出現した部位に対する指詰防止の対策が必要となる。
【００１１】
さらに、別の課題として、意匠上の観点から蝶番９３Ａを覆い隠す必要も生じることとなった。
【００１２】
そこで、本発明は以上の問題点に鑑み、埋込蝶番を採用する折戸の構成について、指詰防止の対策を図るための新規な技術を提供するものである。
【課題を解決するための手段】
【００１３】
本発明の解決しようとする課題は以上の如くであり、次にこの課題を解決するための手段を説明する。
【００１４】
即ち、請求項１に記載のごとく、
複数の戸体を折り畳み可能に連結してなる折戸の連結構造であって、
隣り合う戸体は、戸体の幅方向の端部において蝶番によって枢支連結され、
蝶番の一対の固定部は、戸体の裏側端部に設けた埋込部にそれぞれ配設され、
隣り合う戸体の間において、戸体の表側に現れる蝶番の露出部は、
被覆材によって被覆される、折戸の連結構造とする。
【００１５】
また、請求項２に記載のごとく、
被覆材は、隣り合う戸体の端面の間の隙間を跨ぐように設けられる、
ことを特徴とする請求項１に記載の折戸の連結構造とする。
【００１６】
また、請求項３に記載のごとく、
被覆材は、蝶番の固定部と埋込部の間に挟装される、
ことを特徴とする請求項１又は請求項２に記載の折戸の連結構造とする。
【００１７】
また、請求項４に記載のごとく、
被覆材は、
透明、半透明、又は、不透明の部材にて構成される、
ことを特徴とする請求項１乃至請求項３に記載の折戸の連結構造とする。
【００１８】
また、請求項５に記載のごとく、
被覆材は、
隣り合う戸体の一方の埋込部に対して係止され、
隣り合う戸体の他方の埋込部に対して相対移動可能に設けられる、
ことを特徴とする請求項４に記載の折戸の連結構造とする。
【００１９】
また、請求項６に記載のごとく、
被覆材おいて、隣り合う戸体の一方の埋込部に対して係止される部位は、
埋込部の輪郭と略同一とすることで、埋込部に対して係止されることにより、
埋込部に対する相対移動が規制され、
被覆材おいて、隣り合う戸体の他方の埋込部に対して相対移動可能に設けられる部位には、
埋込部に対して係合するための被係合部が設けられることにより、
埋込部に対する相対移動が一定の範囲に規制される、
ことを特徴とする請求項５に記載の折戸の連結構造とする。
【発明の効果】
【００２０】
本発明の効果として、以下に示すような効果を奏する。
【００２１】
即ち、請求項１に記載の発明においては、
蝶番が隠されることで、被覆材の裏側の蝶番の部位に指が触れてしまうことが防止できる。
【００２２】
また、請求項２に記載の発明においては、
端面の間の隙間の部位において、確実に指詰防止を図ることができる。
【００２３】
また、請求項３に記載の発明においては、
被覆材を埋込部に入れ込むだけの容易な作業により、被覆材を設置することが可能となり、施工性に優れた構成が実現される。また、既存の折戸に対しても、いったん蝶番を取り外して被覆材を追加的に入れ込むだけで、容易に後付で設置することが可能なものとなる。つまり、本発明は、既存の折戸に対しても、追加的に提供することができる。
【００２４】
また、請求項４に記載の発明においては、
被覆材の色彩について、不透明のものを採用することによれば、被覆材のカバー部位によって蝶番が隠され、意匠性を確保することができる。さらに、蝶番が配置される箇所についてのみ被覆材によって隠されるため、戸板の連結部の縦方向の広い範囲を他の部材で隠す場合と比較して、被覆材によって折戸の意匠が損なわれることがない。また、被覆材の色彩について、透明、或いは、不透明のものを採用することによれば、特に既存の折戸に後付した場合において、その前後における変化を抑えることができる。
【００２５】
また、請求項５に記載の発明においては、
戸板の開閉による角度の変動に伴って被覆材が適宜ずれることで、角度の変動に伴って蝶番が出現する範囲に変動が生じた場合でも、蝶番を隠すことが可能となる。
【００２６】
また、請求項６に記載の発明においては、
被覆材が埋込部から脱落することが無く、常に、埋込部に配置しておくことが可能となる。
【図面の簡単な説明】
【００２７】
【図１】（Ａ）は折戸を閉じた状態を示す図。（Ｂ）は折戸が開かれた状態を示す図。
【図２】隣り合う戸板の間の連結部の構成について示す断面図。
【図３】（Ａ）は戸板の端部の構造について示す図。（B）は戸板に蝶番を取り付けた状態について示す図。
【図４】戸板の裏面側の構成について示す図。
【図５】（Ａ）は埋込部の深凹部と被覆材の形状について説明する図。（B）は被覆材の抜け止めについて説明する図。
【図６】被覆材によって折戸の蝶番が被覆される様子について説明する図。
【図７】（A）は従来の折戸の構成について説明する図。（B）は埋込蝶番の構成における課題について説明する図。
【図８】従来の構成において折戸の蝶番が現れてしまう様子について説明する図。
【発明を実施するための形態】
【００２８】
以下、本発明の実施形態を図面に基づいて説明する。
本発明を適用した折戸１の全体構成について、図１（Ａ）は折戸１，１を閉じた状態を示すものであり、図１（Ｂ）は折戸１，１が開かれた状態を示している。また、折戸１，１はクローゼット２の開口部を閉じるための扉として用いられている。
【００２９】
折戸１は、二枚の戸板４，４が上下方向における複数箇所において蝶番６，６により回動可能に連結されており、戸板４，４の上部と下部がそれぞれ、図示せぬレールによってガイドされつつ、戸板４，４間の角度が変更されることによって、折戸１の開閉がなされるようになっている。
【００３０】
図２は、隣り合う戸板４，４の間の連結部８の構成について示す断面図である。この連結部８においては、戸板４，４の幅方向の端部４ａ，４ａの端面４ｂ，４ｂ（見込面）が対向して配置され、端部４ａ，４ａ同士が蝶番６を介して連結されている。
【００３１】
図３（Ａ）は、戸板４の端部４ａの構造について示すものであり、戸板４の端部４ａには、手指を差し込むための縦溝部４ｃが形成されている。縦溝部４ｃは、戸板４の表面４１側の縦壁部４ｄと、戸板４の裏面４２側の縦壁部４ｅと、縦壁部４ｄ，４ｅを結ぶ戸板４の厚み方向の縦壁部４ｆとから、断面視において略Ｕ字状に構成される。
【００３２】
隣り合う戸板４，４において、縦溝部４ｃは対称の形状にて対向して配置されており、表面４１側の縦壁部４ｄの間に間隔を形成することで差込部４ｇが形成され、この差込部４ｇを通じて縦溝部４ｃに指を挿入することができるようになっている。
【００３３】
他方、戸板４の裏面４２側には、それぞれ、蝶番６の固定片６１，６２（蝶番片）を収容するための埋込部４３，４４が形成されており、図３（Ｂ）に示すごとく、各埋込部４３，４４に対して固定片６１，６２を収容するとともに、固定具６８によって戸板４に対して固定片６１，６２が留め付けられることで、蝶番６が戸板４の裏面４２側において収容される構成、つまり、埋込蝶番が構成されるようになっている。なお、本明細書において、「各埋込部４３，４４に対して固定片６１，６２を収容する」、「埋込蝶番が構成される」には、戸板４の埋込部４３，４４に対して蝶番６の固定片６１，６２（蝶番片）が完全に収容されるもののほか、蝶番６の固定片６１，６２（蝶番片）の一部が埋込部４３，４４に収容され、一部が埋込部４３，４４から突出した状態のものも含まれる。
【００３４】
図４は、戸板４の裏面４２側の構成について示すものである。蝶番６は、軸６３に対して二枚の固定片６１，６２を回動可能に取付けて構成されており、一方の固定片６１の裏面にはアーム部６４が設けられている。このアーム部６４は他方の固定片６２の裏面に形成された凹部６５に挿入されることで、固定片６１，６２が互いの裏面同士が接触するまで回動することができるようになっている。
【００３５】
固定片６１，６２には、それぞれ、埋込部４３，４４の深凹部４３ａ，４４ａに対して納められる凸部６１ａ，６２ａと、深凹部４３ａ，４４ａの周囲の浅凹部４３ｂ，４４ｂに納められる板部６１ｂ，６２ｂとを有して構成されている。板部６１ｂ，６２ｂには、固定具６８（図３（Ａ））を挿入するための貫通穴６６が形成され、浅凹部４３ｂ，４４ｂに形設された固定穴４５，４５に固定具６８が差し込まれることで、蝶番６が戸板４に対して留め付けられる。
【００３６】
そして、この蝶番６を埋込部４３，４４に留めつける前において、被覆材５が埋込部４３，４４の深凹部４３ａ，４４ａに挿入される。被覆材５は、可撓性を有するシート部材によって構成されており、図３（Ａ）（Ｂ）にも示されるように、深凹部４３ａ，４４ａの底面４３ｃ，４４ｃと蝶番６の固定片６１，６２の凸部６１ａ，６２ａの間に挟まれるようにして配置される。
【００３７】
図５（Ａ）に示すように、本実施形態では、戸板４の裏面４２に形成される深凹部４３ａ，４４ａは、図において左右方向に通じる幅Ｗ１の連通部４６（図４も参照）が形成されるように対向して配置され、各深凹部４３ａ，４４ａには、円弧状の縦壁面４３ｄ，４４ｄが形成されている。
【００３８】
被覆材５の一側端部５１は深凹部４３ａに配置され、被覆材５の他側端部５２は深凹部４４ａ内へと挿入される。また、被覆材５の一側端部５１と他側端部５２の間は、幅Ｗ２のカバー部位５３にて構成され、カバー部位５３が連通部４６を跨ぐように配置される。
【００３９】
被覆材５の一側端部５１は、縦壁面４３ｄに接触することで、深凹部４３ａに対する図において右方向への相対移動を規制するための円弧状抜止部５１ａを有して構成される。この円弧状抜止部５１ａにより、被覆材５の一側端部５１が深凹部４３ａから抜け落ちてしまうことが防がれる。
【００４０】
他方、被覆材５の他側端部５２は、図において左方向に相対移動した際に、縦壁面４４ｄに接触するための円弧状抜止部５２ａを有して構成される。この円弧状抜止部５２ａの構成により、他側端部５２の深凹部４４ａに対する相対移動が許容されつつ、被覆材５の他側端部５２が深凹部４４ａから抜け落ちてしまうことが防がれる。
【００４１】
以上のような被覆材５の構成とすることで、図５（Ｂ）に示すごとく、被覆材５は、円弧状抜止部５１ａ，５２ａによって、深凹部４３ａ，４４ａから脱落しない構成が実現できる。なお、図５（Ｂ）は、脱落が防止されることを説明するために、便宜的に戸板４，４の間の距離を広げたものであり、戸板４，４の開閉によって当該隙間が図５（Ｂ）のように広げられることを意味するものではない。
【００４２】
そして、図２に示すごとく、戸板４，４の開閉による角度θの変動に伴って被覆材５が撓むと、蝶番６と埋込部４３，４４の間の隙間S２において、被覆材５は他側端部５２が引っ張られるようにしてずれることになるが、このずれが生じた場合でも、他側端部５２が埋込部４４から抜けることがなくなる。
【００４３】
図６は、折戸１を表面１１側から臨んだ際に、連結部８の蝶番６が被覆材５によって隠される状態について示す斜視図である。このように、被覆材５のカバー部位５３によって蝶番６が隠されることで、被覆材５の裏側の蝶番６の部位に指が触ることが防止され、また、被覆材５のカバー部位５３によって意匠性を確保することができる。
【００４４】
以上のようにして本発明を実施することができる。
即ち、図１（A）（B）、図２、図６に示すごとく、
複数の戸板４，４を折り畳み可能に連結してなる折戸１の連結構造であって、
隣り合う戸板４，４は、戸板４，４の幅方向の端部４ａ，４ａにおいて蝶番６によって枢支連結され、
蝶番６の一対の固定部は、戸板４，４の裏面４２側に設けた埋込部４３，４４にそれぞれ配設され、
隣り合う戸板４，４の間において、戸板４，４の表面４１側に現れる蝶番６の露出部は、
被覆材５によって被覆される、折戸１の連結構造とする。
【００４５】
これによれば、蝶番６が隠されることで、被覆材５の裏側の蝶番６の部位に手指が触れてしまうことが防止できる。特に、図２及び図６に示すように、戸板４の端部４ａに縦溝部４ｃを形成し、この縦溝部４ｃに手指を差し込んで折戸１の開閉を行う構成においては、手指が蝶番６に近づく状況が発生しやすいため、効果的に指詰防止を図ることができる。
【００４６】
また、図２及び図６に示すごとく、被覆材５は、隣り合う戸板４，４の端面４ｂ，４ｂの間の隙間S１を跨ぐように設けられる。
【００４７】
これにより、端面４ｂ，４ｂの間の隙間S１の部位において、確実に指詰防止を図ることができる。
【００４８】
また、図２及び図３（A）（B）に示すごとく、被覆材５は、蝶番６の固定片６１，６２（固定部）と埋込部４３，４４の間に挟装される、こととする。
【００４９】
これにより、被覆材５を埋込部４３，４４に入れ込むだけの容易な作業により、被覆材５を設置することが可能となり、施工性に優れた構成が実現される。また、既存の折戸１に対しても、いったん蝶番６を取り外して被覆材５を追加的に入れ込むだけで、容易に後付で設置することが可能なものとなる。つまり、本発明は、既存の折戸に対しても、追加的に提供することができるのである。
【００５０】
また、図２及び図６に示すごとく、被覆材５は、可撓性を有するシート部材であることとする。
【００５１】
これにより、戸板４，４の開閉による角度θの変動に伴って被覆材５が適宜撓むことで、蝶番６を隠すことが可能となる。なお、被覆材５を構成するシート部材の素材については、特に限定するものではないが、例えば、樹脂製であって、表面の滑り性がよいものを使用することや、耐久性を有する紙製のものを使用することなどが考えられる。
【００５２】
なお、被覆材５の色彩については、特に限定されるものではなく、不透明、透明、半透明、など、様々な実施形態が考えられる。具体的な例としては、例えば、クローゼットに折戸１を設ける場合には、クローゼット内が暗く戸板４，４の間の隙間も外観上暗色となることから、黒色を採用することが考えられる。このほか、被覆材５の色彩を戸板４の色に一致させることとしてもよい。
【００５３】
また、被覆材５の色彩について、不透明のものを採用することによれば、被覆材５のカバー部位５３によって蝶番６が隠され、意匠性を確保することができる。さらに、蝶番６が配置される箇所についてのみ被覆材５によって隠されるため、戸板４，４の連結部８の縦方向の広い範囲を他の部材で隠す場合と比較して、被覆材５によって折戸１の意匠が損なわれることがない。また、被覆材５の色彩について、透明、或いは、不透明のものを採用することによれば、特に既存の折戸に後付した場合において、その前後における変化を抑えることができる。
【００５４】
さらに、被覆材５については、伸縮性のないシート部材にて構成するほか、例えば、伸縮性を呈する帯状のゴム製部材（伸縮ゴムを含む部材）などで構成することとしてもよい。
【００５５】
また、図２及び図５（A）（B）に示すごとく、被覆材５は、隣り合う戸板４の一方の埋込部４３に対して係止され、隣り合う戸板４の他方の埋込部４４に対して相対移動可能に設けられる、こととする。
【００５６】
これにより、戸板４，４の開閉による角度θの変動に伴って被覆材５が適宜ずれることで、角度θの変動に伴って蝶番６が出現する範囲に変動が生じた場合でも、蝶番６を隠すことが可能となる。なお、被覆材５を構成するシート部材の素材については、特に限定するものではないが、例えば、樹脂製であって、表面の滑り性がよいものを使用することが考えられる。
【００５７】
また、図２及び図５（A）（B）に示すごとく、被覆材５おいて、隣り合う戸板４の一方の埋込部４３に対して係止される部位である一側端部５１は、埋込部４３の輪郭と略同一とすることで、埋込部４３に対して係止されることにより、埋込部４３に対する相対移動が規制され、被覆材５おいて、隣り合う戸板４の他方の埋込部４４に対して相対移動可能に設けられる部位である他側端部５２には、埋込部４４に対して係合するための被係合部としての円弧状抜止部５２ａが設けられることにより、埋込部４３，４４に対する相対移動が一定の範囲に規制される、こととする。
【００５８】
これにより、被覆材５が埋込部４３，４４から脱落することが無く、常に、埋込部４３，４４に配置しておくことが可能となる。
【産業上の利用可能性】
【００５９】
本発明は、住宅等のクローゼット扉、収納扉、間仕切り扉などの各種扉として用いられる折戸について、幅広く適用することができる。
【符号の説明】
【００６０】
１    折戸
４    戸板
４ａ    端部
４ｂ    端面
４ｇ    差込部
５    被覆材
６    蝶番
８    連結部
４１    表面
４２    裏面
４３    埋込部
４４    埋込部
４３ａ    深凹部
４３ｄ    縦壁面
５１    一側端部
５１ａ    円弧状抜止部
５２    他側端部
５２ａ    円弧状抜止部
５３    カバー部位
６１    固定片
６２    固定片
６３    軸
【図１】
2014047592.tif 000003
【図２】
2014047592.tif 000004
【図３】
2014047592.tif 000005
【図４】
2014047592.tif 000006
【図５】
2014047592.tif 000007
【図６】
2014047592.tif 000008
【図７】
2014047592.tif 000009
【図８】
2014047592.tif 000010